(57)【要約】【課題】商品券専用の機器類を用いることなく、係員による商品券の着服を防止する。【解決手段】紙幣取扱システムは、ＰＯＳレジスタのような制御端末機ＣＴと、紙幣釣銭機のような紙幣処理機ＣＤとを備える。紙幣処理機ＣＤの制御部Ｕ２は、制御端末機ＣＴの制御部Ｕ１と通信接続される。その制御部Ｕ２は、制御端末機ＣＴから送信されるモード切換コマンドに基づいて、商品券処理モードを起動するように構成されている。この商品券処理モードにおいて紙幣処理機ＣＤは、導入部Ａより導入した商品券を搬送手段Ｔによって搬送して、商品券を収納可能な補助収納部、例えば出金リジェクト部Ｆに収納する商品券処理を行う。【選択図】図１
2007213493.tif 000002
【特許請求の範囲】
【請求項１】
制御端末機と、紙幣処理機とを備えた紙幣取扱システムであって、前記紙幣処理機は、
外部から紙幣を導入する紙幣導入部と、
この導入部より導入された入金紙幣の金種を識別する入金識別手段と、
この入金識別手段による識別結果に応じて、前記入金紙幣を金種別に収納する紙幣収納部と、
この紙幣収納部から取り出された出金紙幣を外部に放出するための紙幣放出部と、
商品券を収納可能な補助収納部と、
前記導入部、前記紙幣収納部、前記放出部、および前記補助収納部の間で紙幣ないし商品券を選択的に搬送する搬送手段と、
前記制御端末機と通信接続された処理機制御部と、
を有し、
前記処理機制御部は、前記制御端末機から送信されるモード切換コマンドに基づいて、前記導入部より導入した商品券を前記搬送手段によって搬送して前記補助収納部に収納する商品券処理を行う商品券処理モードを起動するように構成されている、ことを特徴とする紙幣取扱システム。
【請求項２】
前記紙幣処理機は、前記商品券処理モードにおいて、前記入金識別手段ないし前記出金識別手段を用いて、前記導入部より導入した商品券の枚数を計数可能に構成され、
前記処理機制御部は更に、前記計数された商品券の枚数データを、前記制御端末機の端末機制御部へ送信するように構成されている、ことを特徴とする請求項１記載の紙幣取扱システム。
【請求項３】
前記制御端末機は、
商品券処理宣言を入力するための宣言入力手段と、
前記紙幣処理機に受け入れさせるべき受入商品券の額面価格を入力するための額面入力手段と、
前記受入商品券の枚数を入力するための枚数入力手段と、
前記紙幣処理機の処理機制御部と通信接続された端末機制御部と、
を有し、
前記端末機制御部は、前記宣言入力手段、前記額面入力手段、および前記枚数入力手段による入力に応じて、前記紙幣処理機の処理機制御部に対する前記モード切換コマンドの送信を行うように構成されている、ことを特徴とする請求項１又は２記載の紙幣取扱システム。
【請求項４】
前記制御端末機は、
操作者の識別情報を入力するための情報入力手段と、
前記額面入力手段および前記枚数入力手段によって入力された前記受入商品券の額面価格および枚数の履歴を、前記情報入力手段によって入力された前記識別情報と関連付けて記憶する記憶手段と、
を更に有する、ことを特徴とする請求項３記載の紙幣取扱システム。
【請求項５】
前記制御端末機は、
前記紙幣処理機に受け入れさせるべき受入商品券の枚数を入力するための枚数入力手段と、
前記紙幣処理機の処理機制御部と通信接続された端末機制御部と、
操作者に対して警告を報知するための報知手段と
を有し、
前記端末機制御部は、前記枚数入力手段によって入力された前記受入商品券の枚数と、前記紙幣処理機の処理機制御部から送信された前記枚数データとを照合し、両者が一致しない場合には前記報知手段に報知を行わせるように構成されている、ことを特徴とする請求項２記載の紙幣取扱システム。
【請求項６】
前記紙幣処理機は、
前記紙幣収納部から取り出された出金紙幣の金種を識別する出金識別手段と、
この出金識別手段によって正常でないと判別された出金リジェクト紙幣を収納する出金リジェクト部と、
を更に有し、
前記商品券処理モードにおいて、前記出金リジェクト部を前記補助収納部として利用するように構成されている、ことを特徴とする請求項１〜５のいずれかに記載の紙幣取扱システム。
【発明の詳細な説明】
【技術分野】
【０００１】
本発明は、例えばＰＯＳレジスタのような制御端末機と、紙幣釣銭機のような紙幣処理機とを備えた紙幣取扱システムに係り、特に商品券の取り扱いを考慮した紙幣取扱システムに関する。
【背景技術】
【０００２】
特許文献１には、商品券による支払いに対応した販売データ処理装置が記載されている。そのデータ処理装置は、商品券キーによって商品券による支払いを宣言した後、置数キーによって入力された商品券の額面および枚数に基づいて預かり処理等を行うように構成されている。
【０００３】
特許文献２には、金券類入金処理装置とレジスターとからなる金券類入金システムが記載されている。その入金システムは、商品券上にある券種コードおよび金種コードを読取って入金処理すると共に、入金処理された商品券を処理装置の収納部に収納するよう構成されている。
【特許文献１】特開平０５−１５１４５９号公報（［０００８］段落等）
【特許文献２】特開２００２−９２７３７号公報（［００２４］段落等）
【発明の開示】
【発明が解決しようとする課題】
【０００４】
上述した技術には、次のような問題点がある。まず、特許文献１の販売データ処理装置では、商品券についての取り扱いが全て係員の手作業に委ねられ、預かった商品券の収納・保管については全く考慮されていない。このため、係員による商品券の着服を誘発する危険性がある。一方、特許文献２の金券類入金システムでは、預かった商品券の収納・保管まで含めて商品券の取り扱いが全て自動化されているが、商品券読取用の高価な識別部を備えた専用機を用いることが普及の妨げとなっている。
【０００５】
本発明は、このような点を考慮してなされたものであり、商品券専用の機器類を用いることなく、係員による商品券の着服を防止できるようなシステムを提供することを目的とする。
【課題を解決するための手段】
【０００６】
上記課題を解決するために、本発明は、制御端末機と、紙幣処理機とを備えた紙幣取扱システムであって、前記紙幣処理機は、
外部から紙幣を導入する紙幣導入部と、
この導入部より導入された入金紙幣の金種を識別する入金識別手段と、
この入金識別手段による識別結果に応じて、前記入金紙幣を金種別に収納する紙幣収納部と、
この紙幣収納部から取り出された出金紙幣を外部に放出するための紙幣放出部と、
商品券を収納可能な補助収納部と、
前記導入部、前記紙幣収納部、前記放出部、および前記補助収納部の間で紙幣ないし商品券を選択的に搬送する搬送手段と、
前記制御端末機と通信接続された処理機制御部と、
を有し、
前記処理機制御部は、前記制御端末機から送信されるモード切換コマンドに基づいて、前記導入部より導入した商品券を前記搬送手段によって搬送して前記補助収納部に収納する商品券処理を行う商品券処理モードを起動するように構成されている、ことを特徴とする紙幣取扱システムを提供する。
【０００７】
この紙幣取扱システムによれば、制御端末機から送信されるモード切換コマンドに基づいて商品券処理モードが起動された紙幣処理機は、商品券処理、すなわち導入部より導入した商品券を搬送手段によって搬送して補助収納部に収納する処理を行う。このようにして、紙幣処理機を利用して商品券の自動的な収納・保管を行うことで、商品券専用の機器類を用いることなく、係員による商品券の着服の可能性を低減させることができる。
【０００８】
この紙幣取扱システムにおいて、前記紙幣処理機は、前記商品券処理モードにおいて、前記入金識別手段ないし前記出金識別手段を用いて、前記導入部より導入した商品券の枚数を計数可能に構成され、
前記処理機制御部は更に、前記計数された商品券の枚数データを、前記制御端末機の端末機制御部へ送信するように構成されていることが好ましい。
【０００９】
これにより、紙幣処理機に導入された商品券の枚数を制御端末機にて確認することが可能となる。
【００１０】
一方、前記制御端末機は、
商品券処理宣言を入力するための宣言入力手段と、
前記紙幣処理機に受け入れさせるべき受入商品券の額面価格を入力するための額面入力手段と、
前記受入商品券の枚数を入力するための枚数入力手段と、
前記紙幣処理機の処理機制御部と通信接続された端末機制御部と、
を有し、
前記端末機制御部は、前記宣言入力手段、前記額面入力手段、および前記枚数入力手段による入力に応じて、前記紙幣処理機の処理機制御部に対する前記モード切換コマンドの送信を行うように構成されていることが好ましい。
【００１１】
これにより、紙幣処理機に商品券が導入される前に、商品券について必要な情報が制御端末機に入力されるという処理手順を確立することができる。
【００１２】
その場合さらに、前記制御端末機は、
操作者の識別情報を入力するための情報入力手段と、
前記額面入力手段および前記枚数入力手段によって入力された前記受入商品券の額面価格および枚数の履歴を、前記情報入力手段によって入力された前記識別情報と関連付けて記憶する記憶手段と、
を更に有することが好ましい。
【００１３】
これにより、商品券処理における各操作者（係員）の管理責任を明確にし、ひいては商品券の着服に対する抑止効果を得ることができる。
【００１４】
また、紙幣処理機が計数した商品券の枚数データを制御端末機の端末機制御部へ送信するように構成されている場合において、前記制御端末機は、
前記紙幣処理機に受け入れさせるべき受入商品券の枚数を入力するための枚数入力手段と、
前記紙幣処理機の処理機制御部と通信接続された端末機制御部と、
操作者に対して警告を報知するための報知手段と
を有し、
前記端末機制御部は、前記枚数入力手段によって入力された前記受入商品券の枚数と、前記紙幣処理機の処理機制御部から送信された前記枚数データとを照合し、両者が一致しない場合には前記報知手段に報知を行わせるように構成されていることが好ましい。
【００１５】
これにより、操作者（係員）による商品券の着服の可能性の他、操作者の確認ミスや入力ミス等の過誤の可能性についても直ちに報知して注意喚起を図ることができる。
【００１６】
前記紙幣処理機は、
前記紙幣収納部から取り出された出金紙幣の金種を識別する出金識別手段と、
この出金識別手段によって正常でないと判別された出金リジェクト紙幣を収納する出金リジェクト部と、
を更に有し、
前記商品券処理モードにおいて、前記出金リジェクト部を前記補助収納部として利用するように構成されていてもよい。
【００１７】
これにより、追加的な補助収納部を設ける必要をなくして紙幣処理機の構造を簡素化し、あるいは出金リジェクト部を有する既存の一般的な紙幣処理機を利用することが可能となる。
【発明を実施するための最良の形態】
【００１８】
次に、図面を参照して本発明の一実施形態について説明する。図１乃至図３は、本発明による紙幣取扱システムの実施の形態を示す図である。
【００１９】
以下、本実施形態の全体構成、制御端末機の構成、紙幣処理機の構成および動作、作用効果、並びに変形例について順次説明する。
【００２０】
［全体構成］
本実施形態の紙幣取扱システムは、制御端末機ＣＴ（例えばＰＯＳレジスタ：販売時点管理機能を有する金銭登録機）と、紙幣処理機ＢＴ（例えば自動紙幣釣銭機）とを備えている。制御端末機ＣＴおよび紙幣処理機ＢＴは、それぞれ制御ユニットＵ１およびＵ２（端末機制御部および処理機制御部）を有している。
【００２１】
紙幣処理機ＢＴの制御ユニット（処理機制御部）Ｕ２は、制御端末機ＣＴの制御ユニット（端末機制御部）Ｕ１と通信接続されている。その制御ユニットＵ２は、制御端末機ＣＴから送信されるモード切換コマンドに基づいて、商品券処理モードを起動（通常の紙幣処理モードから商品券処理モードへ移行）するように構成されている。この商品券処理モードにおいて紙幣処理機ＢＴは、後述するように、紙幣繰込ユニット（紙幣導入部）Ａより導入した商品券を搬送手段Ｔによって搬送して出金リジェクト部（補助収納部）Ｆに収納する商品券処理を行うように構成されている。
【００２２】
［制御端末機の構成］
次に、図１に示す制御端末機ＣＴの概略構成について説明する。
【００２３】
図１に示すように、制御端末機ＣＴの制御ユニット（端末機制御部）Ｕ１には、表示部９ａ、操作部９ｂ（を構成する各キー９０〜９２）、読取部９ｃ、記憶部９ｄ、報知部９ｅ、および通信インターフェイスＩ１が接続されている。
【００２４】
表示部９ａは、各種情報を表示するための、例えば液晶ディスプレイ装置からなる。また、操作部９ｂは、宣言キー９０、額面キー９１、およびテンキー９２を有している。そのうち宣言キー９０は、商品券処理宣言を入力するための宣言入力手段としての機能を有している。また額面キー９１は、紙幣処理機ＢＴに受け入れさせるべき「受入商品券」の額面価格を入力するための額面入力手段としての機能を有している。またテンキー９２は、受入商品券の枚数を入力するための枚数入力手段としての機能を有している。
【００２５】
そして、制御ユニットＵ１は、操作部９ｂの各キー９０，９１，９２による、商品券処理宣言、受入商品券の額面価格および枚数の入力に応じて、紙幣処理機ＢＴの制御ユニットＵ２に対する上記モード切換コマンドの送信を行うように構成されている。
【００２６】
読取部９ｃは、操作者（係員）の識別情報を入力するための情報入力手段としての機能を有している。この読取部９ｃは、例えば操作者のＩＤカードから磁気記録情報を読み取るカードリーダ等で構成される。
【００２７】
記憶部９ｄは、操作部９ｂの各キー９１，９２によって入力された受入商品券の額面価格および枚数の履歴を、読取部９ｃによって入力された識別情報と関連付けて記憶する記憶手段としての機能を有している。
【００２８】
報知部９ｅは、操作者（係員）に対して警告を報知するための報知手段としての機能を有している。この報知部９ｅは、例えば視覚的な警告を報知するためのランプ類や聴覚的な警告を報知するためのブザー等で構成される。
【００２９】
そして、制御ユニットＵ１は、テンキー９２によって入力された受入商品券の枚数と、紙幣処理機ＢＴの処理機制御部Ｕ２から送信された枚数データ（後述）とを照合し、両者が一致しない場合には報知部９ｅに報知を行わせるように構成されている。
【００３０】
［紙幣処理機の構成］
次に、図１〜図３に示す紙幣処理機ＢＴの具体的構成について説明する。
【００３１】
図１に示すように、紙幣処理機ＢＴの制御ユニット（処理機制御部）Ｕ２には、通信インターフェイスＩ１が接続されている。そして、制御端末機ＣＴおよび紙幣処理機ＢＴの通信インターフェイスＩ１およびＩ２を介して、両者の制御ユニットＵ１およびＵ２が相互に通信接続されている。また、制御ユニットＵ２には、各種の表示や入力操作等を行うための表示操作部１１（図３参照）が接続されている。
【００３２】
紙幣処理機ＢＴの制御ユニットＵ２には、その他、図２にも示すような、繰込ユニットＡ、識別センサ５、紙幣収納部Ｂ，Ｃ，Ｄ、放出ユニットＥ、および搬送手段Ｔ（を構成するモータ２およびガイド部材７ａ〜７ｆ）が接続されている。
【００３３】
紙幣繰込ユニットＡは、外部から紙幣を導入する紙幣導入部としての機能を有している。また、識別センサ５は、繰込ユニットＡより導入された入金紙幣の金種を識別する入金識別手段としての機能を有している。
【００３４】
ここで、紙幣処理機ＢＴは、商品券処理モードにおいて、繰込ユニットＡより導入した商品券の枚数を識別センサ５を用いて計数可能に構成されている。そして、制御ユニットＵ２は、計数された商品券の枚数データを、制御端末機ＣＴの制御ユニットＵ１へ送信するように構成されている。
【００３５】
各紙幣収納部Ｂ，Ｃ，Ｄは、識別センサ５による識別結果に応じて、入金紙幣を金種別に収納する機能を有している。例えば、図１に示すように、各紙幣収納部Ｂ，Ｃ，Ｄは、それぞれ千円札収納部Ｂ、２千円／５千円札収納部Ｃ、および万円札収納部Ｄとして用いられる。
【００３６】
放出ユニットＥは、各紙幣収納部Ｂ，Ｃ，Ｄから取り出された出金紙幣を外部に放出するための紙幣放出部としての機能を有している。上記識別センサ５は、各紙幣収納部Ｂ，Ｃ，Ｄから取り出された出金紙幣の金種を識別する出金識別手段としての機能も有している。
【００３７】
なお、紙幣処理機ＢＴは、図２および図３に示すような筐体１０を備えている。この筐体１０の前面には、繰込ユニットＡに対応した入金口１２と、放出ユニットＥに対応した出金口１４とが設けられている。図３に示すように、筐体１０の前部上面には、上記表示・操作部１１が配置されている。
【００３８】
図２に示すように、紙幣処理機ＢＴは更に、出金リジェクト部Ｆおよび回収カセットＧを備えている。出金リジェクト部Ｆは、出金識別手段としての識別センサ５によって正常でないと判別された出金リジェクト紙幣を（外部へ取り出し可能に）収納する機能を有すると共に、商品券を収納可能な補助収納部としての機能を有している。また、回収カセットＧは、各紙幣収納部Ｂ，Ｃ，Ｄから回収した回収紙幣を収納するためのものである。
【００３９】
図１に一部の構成要素２，７ａ〜７ｆを示した搬送手段Ｔは、繰込ユニットＡ、各紙幣収納部Ｂ，Ｃ，Ｄ、放出ユニットＥ、出金リジェクト部Ｆ、および回収カセットＧの間で紙幣を選択的に搬送する機能を有している。より具体的には、図２に示す搬送ドラム１、モータ２、ガイド部材７ａ〜７ｆ等によって搬送手段Ｔが構成されている。
【００４０】
より具体的には、図２に示すように、紙幣処理機ＢＴの筐体１０内に、略中央部に軸線を垂直にして配置された搬送ドラム１と、この搬送ドラム１を回転駆動するモータ２とが配置されている。搬送ドラム１の外周には、環状を成す紙幣の周回搬送路４が形成されている。また、繰込ユニットＡ、各紙幣収納部Ｂ，Ｃ，Ｄ、放出ユニットＥ、出金リジェクト部Ｆ、および回収カセットＧと周回搬送路４との間をそれぞれ接続する紙幣の接続搬送路６ａ〜６ｇが形成されている。
【００４１】
これらの搬送路４，６ａ〜６ｇは、搬送ドラム１の周囲に設けられたガイド板８によって（周回搬送路４については搬送ドラム１外周面との間で）形成されている。また、搬送ドラム１の外周面に対して弾性的に押圧される複数の押圧ローラ３が、搬送ドラム１の周方向に間隔を置いて配置されている。
【００４２】
周回搬送路４の右側部分には、上記識別センサ５が配置されている。この識別センサ５は、例えば光学センサとして構成され、互いに周回搬送路４を挟んで対向配置される２つのセンサ部品５ａ，５ｂを有している。なお、接続搬送路６ｅおよび６ｆが接続される放出ユニットＥおよび出金リジェクト部Ｆの入口部分には、紙幣の集積を補助するためのゴム羽根車９がそれぞれ設けられている。
【００４３】
周回搬送路４と各接続搬送路６ａ〜６ｇとの間で紙幣の搬送経路を切り換える経路切換手段７ａ〜７ｇが、周回搬送路４に沿って配置されている。これらの切換手段７ａ〜７ｇの構成態様は、接続搬送路６ａ〜６ｄ，６ｆ，６ｇに対応する揺動式のガイド部材７ａ〜７ｄ，７ｆ，７ｇと、接続搬送路６ｅに対応する並進移動式のガイド部材７ｅとに分けられる。
【００４４】
なお、接続搬送路６ｆは周回搬送路４に直接接続されているわけではなく、接続搬送路６ａを介して接続されている。従って、揺動ガイド部材７ｆによる周回搬送路４から接続搬送路６ｆへの搬送経路の切り換えは、揺動ガイド部材７ａとの連携においてなされることになる。
【００４５】
［紙幣処理機の動作］
次に、以上のように構成された紙幣処理機ＢＴの動作について、通常の紙幣処理モードと商品券処理モードとに大別して簡単に説明する。
【００４６】
（１）紙幣処理モード
（1-1）入金処理
入金口１２から挿入された入金紙幣は、繰込ユニットＡより接続搬送路６ａを通じて周回搬送路４へ１枚ずつ繰り出される。周回搬送路４へ繰り出された入金紙幣は、回転ドラム１ａの反時計回り（図２）の回転に従って周回搬送路４に沿って搬送される。周回搬送路４を搬送される入金紙幣は、１周する間に識別センサー５によって金種を識別され、対応する金種の紙幣収納部Ｂ，Ｃ，Ｄに収納される。
【００４７】
入金紙幣の中に汚損等により識別センサー５による金種識別のできない紙幣があった場合、その紙幣は「入金リジェクト紙幣」として、周回搬送路４から接続搬送路６ｅを通じて放出ユニットＥへ送り込まれる。
【００４８】
（1-2）出金処理
紙幣処理機ＢＴは、紙幣釣銭機として用いられる場合、出金すべき釣銭の額に応じて以下に例示するような出金動作を行う。なお、釣銭の出金動作に関連するのは、万円札収納部Ｄを除いた、千円札収納部Ｂと２千円／５千円札収納部Ｃのみである。
【００４９】
（1-2-1）出金額３千円の場合
この場合、千円札収納部Ｂから３枚の千円札（出金紙幣）が、接続搬送路６ｂを通じて周回搬送路４へ１枚ずつ繰り出される。周回搬送路４へ繰り出された出金紙幣は、回転ドラム１ａの時計回り（図２）の回転に従って周回搬送路４に沿って搬送され、接続搬送路６ｅを通じて出金紙幣放出ユニットＥへ送り込まれる。放出ユニットＥは、３枚の千円札が送り込まれた時点で、それらの紙幣を束の状態で出金口１４から突出させるように放出する。出金口１４から突出した紙幣は、操作者（係員）によって抜き取られる。
【００５０】
なお、千円札収納部Ｂには千円札しか収納されていないので、この場合は出金紙幣を周回搬送路４で１周以上させて金種識別を行う必要はない。
【００５１】
（1-2-2）出金額７千円の場合
この場合、まず２千円／５千円札収納部Ｃから最初の紙幣１枚だけが繰り出され、周回搬送路４に沿って時計回り（図２）に搬送される。この紙幣は、周回搬送路４を１周以上する間に識別センサー５による金種識別を受けた上で、上記(1-2-1)の場合と同様にして放出ユニットＥへ送り込まれる。
【００５２】
最初の紙幣の金種が５千円であった場合は、残りの２千円分として千円札収納部Ｂから千円札が２枚繰り出され、上記(1-2-1)の場合と同様、金種識別を経ることなく放出ユニットＥへ送り込まれる。
【００５３】
一方、最初の紙幣の金種が２千円であった場合は、２千円／５千円札収納部Ｃから２番目の紙幣１枚だけが繰り出され、周回搬送路４で金種識別を受ける。この２番目の紙幣の金種が５千円であった場合は、その５千円札が放出ユニットＥへ送り込まれた時点で出金動作が完了する。一方、２番目の紙幣の金種が２千円であった場合は、この２千円札が放出ユニットＥへ送り込まれると共に、残りの３千円分として千円札収納部Ｂから千円札が３枚繰り出され、金種識別を経ることなく放出ユニットＥへ送り込まれる。
【００５４】
（1-2-3）出金リジェクト
出金紙幣の中に斜行等により識別センサー５による金種識別のできない紙幣があった場合、その紙幣は「出金リジェクト紙幣」として、周回搬送路４から接続搬送路６ｆを通じて出金リジェクト部Ｆへ送り込まれる。
【００５５】
（２）商品券処理モード
入金口１２から挿入された商品券は、繰込ユニットＡより接続搬送路６ａを通じて周回搬送路４へ１枚ずつ繰り出される。周回搬送路４へ繰り出された商品券は、識別センサー５を用いた計数を受けつつ、周回搬送路４から接続搬送路６ｆを通じて出金リジェクト部Ｆへ送り込まれる。
【００５６】
その際、回転ドラム１ａの反時計回り（図２）の回転では、周回搬送路４から接続搬送路６ｆへ商品券を送り込むことができない。そこで、まず回転ドラム１ａの反時計回り（図２）の回転で、商品券を接続搬送路６ａから周回搬送路４に導入する。次に、（例えば商品券の後端が識別センサー５を通過した時点で）回転ドラム１ａを時計回り（図２）に逆転させることで、商品券を周回搬送路４から接続搬送路６ｆへ送り込むようにする（スイッチバック方式）。
【００５７】
出金リジェクト部Ｆへ送り込まれて収納された商品券は、例えばリジェクト部Ｆの満杯時や営業終了後に回収されるまで、出金リジェクト部Ｆ内に一時保管される。
【００５８】
なお、商品券処理モードにおいては、識別センサー５は専ら計数のために用いられ、識別には用いられないため、商品券以外の紙幣その他の紙葉類であっても同様の処理が行われることになる。
【００５９】
［作用効果］
次に、以上のように構成された本実施形態の作用効果について説明する。
【００６０】
本実施形態によれば、制御端末機ＣＴから送信されるモード切換コマンドに基づいて商品券処理モードが起動された紙幣処理機ＢＴは、商品券処理、すなわち繰込ユニットＡより導入した商品券を搬送手段Ｔによって搬送して出金リジェクト部Ｆに収納する処理を行う。このようにして、紙幣処理機ＢＴを利用して商品券の自動的な収納・保管を行うことで、商品券専用の機器類を用いることなく、係員による商品券の着服の可能性を低減させることができる。
【００６１】
また、紙幣処理機ＢＴで計数された商品券の枚数データを制御端末機ＣＴへ送信することで、紙幣処理機ＢＴに導入された商品券の枚数を制御端末機ＣＴにて確認することが可能となる。
【００６２】
次に、制御端末機ＣＴは、操作部９ｂの各キー９０，９１，９２による、商品券処理宣言、受入商品券の額面価格および枚数の入力に応じて、紙幣処理機ＢＴに対するモード切換コマンドの送信を行う。これにより、紙幣処理機ＢＴに商品券が導入される前に、商品券について必要な情報が制御端末機ＣＴに入力されるという処理手順を確立することができる。
【００６３】
また、制御端末機ＣＴの記憶部９ｄにおいて、操作部９ｂの各キー９１，９２によって入力された受入商品券の額面価格および枚数の履歴が、読取部９ｃで入力された識別情報と関連付けて記憶される。これにより、商品券処理における各操作者（係員）の管理責任を明確にし、ひいては商品券の着服に対する抑止効果を得ることができる。
【００６４】
また、制御端末機ＣＴにおいて、操作部９ｂのテンキー９２によって入力された受入商品券の枚数と、紙幣処理機ＢＴから送信された枚数データとが照合され、両者が一致しない場合には報知部９ｅによる警告の報知が行われる。これにより、操作者（係員）による商品券の着服の可能性の他、操作者の確認ミスや入力ミス等の過誤の可能性についても直ちに報知して注意喚起を図ることができる。
【００６５】
なお、本実施形態では、商品券を収納するための補助収納部として出金リジェクト部Ｆを利用している。これにより、追加的な補助収納部を設ける必要をなくして紙幣処理機の構造を簡素化し、あるいは出金リジェクト部を有する既存の一般的な紙幣処理機を利用することが可能となる。
【００６６】
［変形例］
商品券を収納可能な補助収納部としては、出金リジェクト部Ｆに代えて、回収カセットＧを利用してもよい。また、上記のような利点はなくなるが、追加的に商品券専用の補助収納部を設けてもよい。
【００６７】
［追  記］
なお、紙幣処理機ＢＴの商品券処理モードから通常の紙幣処理モードへの復帰は、例えば、次のいずれかの方式で行うようにすることができる。
（１）商品券処理モード中に繰込ユニットＡを通じた商品券の導入が途絶えてから一定時間が経過したら、自動的に紙幣処理モードへ復帰させる。
（２）制御端末機ＣＴに、商品券処理の終了宣言を入力するための手段（例えば終了キー）を設ける。そして、制御端末機ＣＴの制御ユニットＵ１が、終了宣言の入力に応じて、紙幣処理機ＢＴの制御ユニットＵ２に対して、通常の紙幣処理モードへ復帰させるコマンドの送信を行うようにする。
【図面の簡単な説明】
【００６８】
【図１】本発明による紙幣取扱システムの一実施形態を示すブロック図。
【図２】図１に示した紙幣釣銭機の内部構造を示す水平断面図。
【図３】図２に示した紙幣釣銭機の外観を示す斜視図。
【符号の説明】
【００６９】
ＣＴ  制御端末機
Ｕ１  制御ユニット（端末機制御部）
９ａ  表示部
９ｂ  操作部
９０  宣言キー（宣言入力手段）
９１  額面キー（額面入力手段）
９２  テンキー（枚数入力手段）
９ｃ  読取部（情報入力手段）
９ｄ  記憶部（記憶手段）
９ｅ  報知部（報知手段）
ＢＴ    紙幣処理機
Ａ  繰込ユニット（紙幣導入部）
Ｂ  千円札収納部（紙幣収納部）
Ｃ  ２千円／５千円札収納部（紙幣収納部）
Ｄ  万円札収納部（紙幣収納部）
Ｅ  放出ユニット（紙幣放出部）
Ｆ  出金リジェクト部（補助収納部）
Ｇ  回収カセット
Ｔ  搬送手段
Ｕ２  制御ユニット（処理機制御部）
１  搬送ドラム
２  搬送ドラム用モータ
３  押圧ローラ
４  周回搬送路
５  識別センサ（入金識別手段／出金識別手段）
６ａ〜６ｇ  接続搬送路
１０  筐体
１１  表示・操作部
１２  入金口
１４  出金口
【図１】
2007213493.tif 000003
【図２】
2007213493.tif 000004
【図３】
2007213493.tif 000005